(57)【要約】      （修正有）【課題】ガラスレンズ内に含まれる炭素処理を行った炭素抜き眼鏡レンズフレームを提供する。【解決手段】ガラスレンズ中の炭素を取り除く為に、加熱溶解しながら、高速遠心分離機に拠って、炭素無しガラスを取り出して、炭素抜き差し込み眼鏡レンズ１を作り、フレームには、塩化プラスチックゴム芯２入りのフレーム付きの、差し込み式部分６に、炭素抜き差し込み眼鏡レンズを射し込んで、レンズ固定用プラスチックゴム３を射し込んで、炭素抜き差し込み眼鏡レンズを固定する。【選択図】図１
0003228961.tif 000002
【実用新案登録請求の範囲】
【請求項１】
炭素抜き差し込み眼鏡レンズを、前面の炭素抜き光吸収発光ライトビニールシートを、二枚のプラスチックフレームの間に入れて接着し丸形の眼鏡レンズを、前面フレームの左右に一つずつ縦差し込みで、横触成らない様に炭素抜き差し込み眼鏡レンズ一個に対してｕ字筒両サイドに一個ずつの炭素抜き差し込み眼鏡レンズフレーム構造とし、レンズ固定用プラスチックゴムが落ちない様にｕ字筒両サイドに一個ずつの炭素抜き差し込み眼鏡レンズフレームの上部其々に外れ止め用の横溝突起付きの炭素抜き差し込み眼鏡レンズフレーム構造とし、フレーム内部は、塩化プラスチックゴム芯に弱ビニールプラスチックを被せた炭素抜き差し込み眼鏡レンズフレーム。
【考案の詳細な説明】
【技術分野】
【０００１】
本実用新案の眼鏡のガラスレンズ内に含まれる炭素処理を行った眼鏡に関するもので有る。
【背景技術】
【０００２】
過去の、ガラスレンズ眼鏡は、通常ガラス中に炭素成分が入って入る為に、透過性では、ハイビジョンレンズに、劣るガラスレンズで有った。
【０００３】
過去の、ガラスレンズ眼鏡は、ガラス内部に光を、吸収すると色が変わる成分を、予め入れた海外技術も存在していた。
【０００４】
過去の、ガラスレンズ眼鏡は、眼鏡ガラスの一部分に遠近用のレンズを、取り付けた海外技術も、存在していた。
【０００５】
過去の、カメラレンズには、ハイビジョンカメラレンズとして、アクリルシートを、取り付けた透過性カメラレンズも、存在していた。
【０００６】
過去の眼鏡レンズには、部分的に、日差し防止カラーシートの貼り付けた眼鏡も存在していた。
【０００７】
過去の眼鏡レンズには、部分的に、日差しをカット出来る光を角度的に反射出来る透明シートにライン状に入れた光反射シートも、存在していた。
【０００８】
過去の眼鏡フレームに、金属を入れて、フレーム形状を、変化出来る眼鏡が有った。
【０００９】
過去の眼鏡レンズには、プラスチックガラスレンズの低価格１００円商品が存在している。
【００１０】
過去の眼鏡レンズには、アクリル樹脂シートを、二枚ガラスの間に入れたレンズ説明が存在していた。
【００１１】
過去の眼鏡には反射板構造の眼鏡フレームも有った。
【先行技術文献】
【特許文献】
【００１２】
【特許文献１】特開２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。
【特許文献２】特許公開２０１５―１６７４７０号の国の全額借金返済と都道府県市町村区の全額借金返済後に対して自給自足型の農業及び漁業及び林業及び中小企業が世界凸プの日本円銀行団体と世界最高銀行団体と成る為の完全自給自足物流システムに対しての知的所有財産を使った財団経営の未来的農業漁業林業一体型中小企業体システム。
【特許文献３】特開２０１４―００８０６２号の農業用地熱暖房パネル。公序良俗違反のため、不掲載とする。
【特許文献４】特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本、商品を作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術。
【特許文献５】特開２０１３―２３４５７１号の未来の別の美瑛街に出来る世界遺産を目指す為の永遠に壊さないクリスタルダイヤガラスビルに伴う修身介護システムの著作権原本。
【特許文献６】特開２０１３―２０９７９２号の６５歳を過ぎてから使用する溶鉱炉及び陶器の火焼きに使用する耐熱エアー服と陶器ガラスの材料参考説明の著作権原本。
【特許文献７】特開２０１３―１７８８５３号の日本の弱者一人一人の財団設立後の日本の弱者一人一人の財団商品に貼られる全自動インターネット管理社会のカラー異種異形バーコードシステム。
【特許文献８】特開２０１３―１２７１４５号の国の全額借金返済と都道府県市町村区の全額借金返済の為の知的所有財産の稲の茎笹の茎ナイロン合成の固形窒素糸と果物粉末色を使用した冷却糸。（企業と国及び都道府県市町村が特許権で無い企業の特許提出によって稲の茎笹の茎ナイロン合成の固形窒素糸と果物粉末色を使用した冷却糸商品を、作って企業利益を、上げると国の機関でも知的所有財産の技術横領の利益を、得る方の横領の共謀罪に成ります。）。あくまでも国益１００パーセントと都道府県市町村区益１００セントを、目的とした国と都道府県市町村区の借金全額返済の為の先著作権技術文書図主張の知的所有財産の著作権に成る。
【特許文献９】特開２０１３―１０２６８８号の国の全額借金返済と都道府県市町村区の全額借金返済の為の多機能電気トラクターの著作権原本。
【特許文献１０】特開２０１３―０９４０５７号の国の全額借金返済と都道府県市町村区の全額借金返済の為の世界最速の超電導リニアモーターカーシステム全体の著作権発明原本。（企業と国及び都道府県市町村が特許権で無い企業の特許提出によって世界最速の超電導リニアモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【特許文献１１】特開２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【特許文献１２】特開２０１３―０９１５７０号の国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【特許文献１３】特開２０１３―０９１３２３号の国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【特許文献１４】特開２０１３―０９０９４８号の地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本。（北海道知事著作権郵便物受理書付。）。
【特許文献１５】特開２０１３―０８３２６８号の地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【特許文献１６】特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【特許文献１７】特開２０１３―０７８６５６号の地方経営の工場の国の全額借金返済と都道府県市町村区の全額借金返済の為の無知的所有財産のスピーカー振動ゴミ取り機能付き掃除機著作権原本。
【特許文献１８】特開２０１３―０７７５７６号の国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【特許文献１９】特開２０１３―０７０６１８号の国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【特許文献２０】特開２０１３―０６７６５４号の国の全額借金返済と都道府県市町村区の全額借金返済の為の知的所有財産の夏専用の果物香料入り冷却ファンドクリームと冬専用の果物香料入りの暖房ファンドクリームの著作権原本。（企業と国及び都道府県市町村が特許権で無い企業の特許提出によって夏専用の果物香料入り冷却ファンドクリームと冬専用の果物香料入りの暖房ファンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の著作権技術文書図主張の知的所有財産の著作権に成る。
【特許文献２１】特開２０１２―２３６６０６号の国の全額借金返済と都道府県市町村区の全額借金返済の為の知的所有財産の多機能電気観光船著作権原本。
【特許文献２２】特開２０１２―２３６６０５号の国の全額借金返済と都道府県市町村区の全額借金返済の為の知的所有財産の多機能電気モータープロペラ飛行機原本。
【特許文献２３】特開２０１２―２１０７０３号の国の全額借金返済と都道府県市町村区の全額借金返済の為の多機能インプット全自動ロボットの著作権原本。
【特許文献２４】特開２０１２―１８７００１号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機。（半永久連続作動発電機。）。
【特許文献２５】特開２０１２―１７００６３号の国の全額借金返済と都道府県市町村区の全額借金返済の為の知的所有財産の圧電素子補助急速充電携帯電話著作権原本。
【特許文献２６】特開２０１２―１６６９５１号の国の全額借金返済と都道府県市町村区の全額借金返済の為の知的所有財産の生ゴミ真空装置粉末処理車著作権原本。
【特許文献２７】特開２０１２―１４０５８４号の国の全額借金返済と都道府県市町村区の全額借金返済の為の炭素固形フロン著作権原本。
【特許文献２８】特開２０１２―１２０４４０号の国の全額借金返済と都道府県市町村区の全額借金返済の為の多機能電気自動車著作権原本。
【特許文献２９】特開２０１２―１１６７２７号の国の全額借金返済と都道府県市町村区の全額借金返済の為の知的所有財産の最速スクリュー水電気消防装置著作権原本。
【特許文献３０】特開２０１２―１０８１４０号の国の全額借金返済と都道府県市町村区の全額借金返済の為の知的所有財産の化石燃料一切必要としないレントゲンカメラ放射線飛散防止パネル装置著作権原本。
【特許文献３１】特開２０１２―１０１７９０号の国の全額借金返済と都道府県市町村区の全額借金返済の為の知的所有財産のワンタッチ全自動エアー浮輪著作権原本。
【特許文献３２】特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。
【特許文献３３】特開２０１２―０９７５５９号の国の全額借金返済と都道府県市町村区の全額借金返済の為の知的所有財産の化石燃料一切必要としない高速瞬間気化処理除雪車著作権原本。
【特許文献３４】特開２０１２―０９７５５８号の国の全額借金返済と都道府県市町村区の全額借金返済の為の知的所有財産の固形窒素プラスチックグラスフアイバーパネル著作権原本。
【特許文献３５】特開２０１２―０９４５４８号の国の全額借金返済と都道府県市町村区の全額借金返済の為の知的所有財産の光りフアイバーブラウン官テレビ著作権原本。
【特許文献３６】特開２０１２―０７７６０７号の国の全額借金返済と都道府県市町村区の全額借金返済の為の知的所有財産のヘドロ処理運搬車装置の著作権原本。
【特許文献３７】特開２０１２―０５６５５８号のパワーアップハイブリッド車。
【特許文献３８】特開２０１２―０５２７８８号の国の全額借金返済と都道府県市町村区の全額借金返済の為の知的所有財産の化石燃料一切必要としない電気ストーブ著作権原本。
【特許文献３９】特開２０１２―０１１２１１号の国の全額借金返済と都道府県市町村区の全額借金返済の為の全自動最速電気洗濯乾燥機著作権原本。
【特許文献４０】特開２０１１―２３３２２８号の多機能ビデオ著作権原本。
【特許文献４１】特開２０１１―２１５１４８号の電子熱核燃料原石核融合発電と放射能廃棄物処理方法。
【特許文献４２】特開２０１１―２０９２９０号の多目的カーナビゲイション著作権原本と都道府県市町村区と国の全額借金返済と弱者自立社会を目指す為の２００１年からの道民財産著作権原本。
【特許文献４３】特開２０１１―２０５８９５号の多機能情報冷暖房無休憩発電機（原子力事故及び地震事故対応型。）。（無害無給油の無休憩の半永久全自動作動発電機型。）。
【特許文献４４】特開２０１１―２０５６７５号の多機能携帯電話装置原本。
【特許文献４５】特開２０１１―２０２４９８号の一戸建て免震装置著作権原本及び国の全額借金返済と都道府県市町村区の全額借金返済と弱者自立と救済の著作権技術参考説明の２００１年からの道民財産著作権。
【特許文献４６】特開２０１１―１５５２６７号の超軽量高出力発電人工衛星。
【特許文献４７】特開２０１１―１０５３０７号の未来的電気自動車。
【特許文献４８】特開２０１１―０６４０６０号の日本の弱者国民救済の地震対応型の多機能発電ハウスシステム。
【特許文献４９】特開２０１１―０６０２９４号の発電タッチパソコン。
【特許文献５０】特開２０１０―１７１９４３号の多機能新技術携帯電話。
【特許文献５１】特開２０１０―１６５３５５号の国の９００兆円越えの借金全額返済の為の世界最新の公共事業対策装置。
【特許文献５２】特開２００６―２５４６９７号の全レールモーター制御無害無給油発電機を使用した電気自動車。
【特許文献５３】特開２００４―３０４９９３号の一度に複数の電気配線と複数の電気コイルを持ち得て焼けないで力のあるモーターの有り方。
【特許文献５４】特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。
【特許文献５５】特開２００４―１３５４８０号の自動充電池。
【特許文献５６】特開２００３―３２８９２５号の真空装置と機械式発電機を使った水だけの発電機。
【特許文献５７】登録実用新案第３１６８０４３号高出力発電７連結以上モーター。
【特許文献５８】登録実用新案第３１４５９６３号省エネルギー水気化水発電機（別名水発電機。）。
【特許文献５９】登録実用新案第３１１４４９１号二連結以上モーター。
【特許文献６０】登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術。
【特許文献６１】登録実用新案第３２０３１０５号の国の全額借金返済と都道府県市町村区の全額借金返済の為の日本国内で販売されている商品に対しての国内特許権番号の明示義務と海外輸出商品に対しての海外国の特許権番号明示義務と海外審査請求の番号を商品自体に明示で無く完全な商品販売に対しての商品のパンフレット特許番号記載参考説明書とインターネット特許番号記載義務と審査請求書記載義務と新聞のチラシいずれかの特許権番号の記載義務とテレビ局宣伝部の知的所有権の特許権データ集計管理書の特許権番号記載義務に対して知的所有財産の番号の明示義務として、法人税の国の収集を多くし個人資産の不当の商品の値段に対して騙されない様にする対策の無料の特許権番号公開で無ければ、不正競争防止法の罰金の１００倍を日本国税収不足分として国会で国税と通常個人賠償として決めて貰う事にして技術横領行為に対して国税を主な国の税金の収集源とするテレビ画像の新作パネルの低価格テレビの最初の著作権者との特許権切れに対し新技術特許権切れの著作権契約から始まる商品作り参考説明。
【特許文献６２】登録実用新案第３２０６０６５号の国の全額借金返済擦る事と農業漁業林業中小企業の自給自足社会と共産党時代から続く企業資産の上の農業漁業林業中小企業合併の世界一銀行を作る為の高出力六角形状圧電素子連結発電回路型コイル無ライトレールモーターシステム装置。
【考案の概要】
【考案が解決しようとする課題】
【００１３】
本校案は、眼鏡のガラスレンズ内に含まれる炭素処理を行った眼鏡のガラスレンズ内に含まれる炭素処理を行った眼鏡と光を吸収するとライト発光するフレームとレンズに関する構造説明に成る。
【課題を解決するための手段】
【００１４】
本校案の、炭素ぬきガラスレンズは、通常のガラス内の炭素をすべて熱追加型の電子電気熱を使った通常ガラスからの炭素を取り除いたガラスを、炭素抜きガラスレンズと言う。
【００１５】
光瞬間吸収発光ライトカラーフレームは、フレーム内に、軽水素ガス入りフッ化カルシウム剤をプラスチック材と混合撹拌した光瞬間吸収発光剤に成り、フッ化カルシウムだけでは、長く発光しない物質に成り、そのため、フッ化カルシウム内に水素または、軽水素ガスを入れる事で、イオンガスとフッ化カルシウム剤が結びついて発光させる技術説明に成る。
【００１６】
従って、眼鏡フレームに、予めデザインカラープラスチックの内側に、軽水素ガス入りフッ化カルシウム剤をプラスチック材と混合撹拌した光瞬間吸収発光剤を、フレームに内蔵させた眼鏡フレームに成り、炭素抜きガラスレンズの差し込み方式と固定用プラスチックゴム固定手段とネジとナットの固定方式に代わるガード体つまり、シリコン固定ガード体プラスチックビニール巻きリング体にシリコンを被せたゴム接合と異なる眼鏡屈曲部分に成り、フレームを、拠り長く持たせる為のピアノ線入り又は、塩化プラスチック芯入りフレーム構造にした、最大の特徴の通常ガラスレンズより明るい炭素抜きガラスレンズ使用の眼鏡構造説明に成る。
【００１７】
更に、古くから有る発光剤とは、発光剤の内容物質が異なり、昔からの発光剤使用例として、時計の夜光文字盤及び夜光シールなどが有るが、本考案は、用途外使用と光を当てると夜光剤より、長く発光出来る軽水素入りフッ化カルシウム光吸収発光特性を持つ。
【考案の効果】
【００１８】
上述の様に、本考案の炭素抜きガラスレンズ付き多色発光フレーム眼鏡は、今まで見えにくい物も見える明るいガラスレンズの可能性を秘め、夜のカラーデザイン眼鏡フレームの演出が出来る。
【００１９】
更に、本考案の光瞬間吸収発光ライトカラーフレームは、軽水素を使用擦る事で、発光持続時間を長く出来て、電池と電気配線構造の取り付け更に発電装置を組み込む事で、何処までも発光し続けるライト使用に変化して行くライト素材にも成る。
【図面の簡単な説明】
【００２０】
【図１】本考案の炭素抜きガラスレンズ付き多色発光フレーム眼鏡に対しての、差し込みレンズ方式を、フレーム溝に差し込んだ後にレンズカバーでレンズのガタツキと脱落防止を計る構造説明図。
【図２】本考案の炭素抜きガラスレンズ付き多色発光フレーム眼鏡に対しての、差し込み炭素抜きガラスレンズを光反射シート内蔵ガードパネル眼鏡に成り、塩化プラスチックボルトと塩化プラスチックナットに拠って、固定４５度往復移動出来る眼鏡フレームの取り付け部説明図。
【図３】本考案の炭素抜きガラスレンズ付き多色発光フレーム眼鏡に対しての、差し込み炭素抜きガラスレンズ外側フレームの光吸収発光ライトビニールシート内蔵部分を取り入れた眼鏡ガラスカバー眼鏡に成り、ビアノ線芯入り眼鏡フレームの取り付け部説明図。
【図４】本考案の炭素抜きガラスレンズ付き多色発光フレーム眼鏡に対しての、丸形炭素抜きレンズとプラスチックレンズカバーフレーム部分と横から見た丸形炭素抜きレンズの、填め込み構造説明図。
【００２１】
以下本考案の実施の形態を図１〜図４に拠って掻い摘んで参考説明する。
【００２２】
本考案の、図１は、特に通常ガラスレンズと異なる明るいレンズつまり、通常ガラスを熱しながら遠心分離ガラス溶液体に於いて、１の、炭素無し部分のガラスのみを、使用した炭素抜きガラスレンズを、今までと異なる構造の６の、差し込み部分の差し込み方式の３の、レンズ固定用プラスチックゴムに拠って、１の、炭素抜き差し込み眼鏡レンズを、固定して眼鏡フレーム全てに、２の、塩化プラスチックゴム芯入りのプラスチック眼鏡フレームと５の連結部塩化プラスチックゴム芯に成り、４の、ガード体のシリコン固定ガード体プラスチックビニール巻きリング体にシリコンを被せた固定４５度往復移動出来る眼鏡フレームに成り、１の、炭素抜き差し込み眼鏡レンズは、６の、差し込み式部分と７の、填め込み式から成る１の、炭素抜き差し込み眼鏡レンズ眼鏡構造に成る。
【００２３】
図２は、図１の、六角型眼鏡に対して、図２は、１２の、軽水素フッ化カルシウムライン入りのデザインフレームに対して、耳掛けフレームと両レンズ取り付け部分に対して８の、マイナス掘り下げ部分が有る９の、ナット部分の有る１０の、塩化プラスチックボルト更に１１の、滑り部分から成り立つ軽量ナット方式に成り、１の、六角型眼鏡に対して、１２の、軽水素フッ化カルシウムライン入りの眼鏡ガラスフレーム部分に成る両サイド炭素抜きガラスレンズを支えるフレームには、１２の、軽水素フッ化カルシウムライン入りの眼鏡ガラスフレームに成り、１３の、光吸収発光ライトビニールシート内蔵部分から成る１の、炭素抜き差し込み眼鏡レンズ説明に成る。
【００２４】
図３は、１の、炭素抜き差し込み眼鏡レンズに対して、四角炭素抜き差し込み眼鏡レンズに成り、６の、差し込み式部分に１の、炭素抜き差し込み眼鏡レンズを射し込んで、３の、レンズ固定用プラスチックゴムを射し込んで１の、炭素抜き差し込み眼鏡レンズを固定する手段に成り、３の、レンズ固定用プラスチックゴムは、横突起と差し込み部分の横突起部分に依って、振動リバウンドでも１の、炭素抜き差し込み眼鏡レンズが、簡単に外れない構造に成り、１３の、光吸収発光ライトビニールシート内蔵部分入りの全面１の、炭素抜き差し込み眼鏡レンズの固定保護体に成り、４の、ガード体のシリコン固定ガード体プラスチックビニール巻きリング体にシリコンを被せた固定４５度往復移動出来る眼鏡フレームに成り、１４の、ピアノ線芯入り眼鏡フレームに成り、１の、炭素抜き差し込み眼鏡レンズの眼鏡レンズ形状の異なる参考補助説明に成る。
【００２５】
図４は、１の、炭素抜き差し込み眼鏡レンズに対して、図１に有る１５の、丸形炭素抜きレンズは、眼鏡全面の横から見る事に成り、１７の、横から見た丸形炭素抜きレンズが、１６の、プラスチックレンズカバーフレーム部分に縦差し込み形状で取りつく構造に成り、３の、レンズ固定用プラスチックゴムに拠って１の、炭素抜き差し込み眼鏡レンズ固定に成る構造。
【符号の説明】
【００２６】
１        炭素抜き差し込み眼鏡レンズ
２        塩化プラスチックゴム芯 
３        レンズ固定用プラスチックゴム         
４        ガード体  
５        連結部  
６        差し込み式部分
７        填め込み式
８        マイナス掘り下げ部分
９        ナット部分
１０      塩化プラスチックボルト
１１      滑り部分
１２      軽水素フッ化カルシウムライン入り
１３      光吸収発光ライトビニールシート内蔵部分
１４      ピアノ線芯
１５      丸形炭素抜きレンズ
１６      プラスチックレンズカバーフレーム部分
１７      横から見た丸形炭素抜きレンズ
【図１】
0003228961.tif 000003
【図２】
0003228961.tif 000004
【図３】
0003228961.tif 000005
【図４】
0003228961.tif 000006